(57)【要約】【課題】カラオケ端末へ楽曲データを供給するときの手間を削減すること。【解決手段】保守端末１００は、楽曲データを格納するＨＤＤ１１２を備えたサーバ装置１１０と通信をおこなう第１通信部１０２と、楽曲データを格納するＨＤＤ１２２を備えて当該楽曲データを再生するカラオケ端末１２０と通信をおこなう第２通信部１０９と、第１通信部１０２によるサーバ装置１１０との通信によって、ＨＤＤ１１２を、当該保守端末１００が仮想的に有する仮想記憶媒体として設定する仮想ディスク設定部１０４と、第１通信部１０２によるサーバ装置１１０との通信によって、仮想記憶媒体に設定されたＨＤＤ１１２から楽曲データを読み出して取得し、取得した楽曲データを、第２通信部１０９によるカラオケ端末１２０との通信によって、カラオケ端末１２０へ供給して、ＨＤＤ１２２へ格納させる楽曲データ供給部１０８とを備える。【選択図】図２
2011209435.tif 000002
【特許請求の範囲】
【請求項１】
カラオケに用いられる楽曲データを格納する第１の記憶媒体を備えた楽曲データ配信装置と通信をおこなう第１通信部と、
前記楽曲データを格納する第２の記憶媒体を備えて当該楽曲データを再生するカラオケ端末と通信をおこなう第２通信部と、
前記第１通信部による前記楽曲データ配信装置との通信によって、前記第１の記憶媒体を、当該楽曲データ供給装置が仮想的に有する仮想記憶媒体として設定する仮想ディスク設定部と、
前記第１通信部による前記楽曲データ配信装置との通信によって、前記仮想記憶媒体に設定された前記第１の記憶媒体から楽曲データを読み出して取得し、取得した前記楽曲データを、前記第２通信部による前記カラオケ端末との通信によって、前記カラオケ端末へ供給して、前記第２の記憶媒体へ格納させる楽曲データ供給部と
を備えることを特徴とする楽曲データ供給装置。
【請求項２】
前記カラオケ端末に供給する楽曲データの条件を記憶しており、前記第１の記憶媒体に格納されている複数の楽曲データの中から前記条件に合致する楽曲データを、前記カラオケ端末へ供給する楽曲データとして選択する楽曲データ選択部をさらに備え、
前記楽曲データ供給部は、
前記楽曲データ選択部によって選択された楽曲データを、前記第１の記憶媒体から取得し、前記第２の記憶媒体へ格納させる
ことを特徴とする請求項１に記載の楽曲データ供給装置。
【請求項３】
前記カラオケ端末に供給する楽曲データの条件は、前記カラオケ端末に供給する楽曲データの楽曲が属するジャンル、または、前記カラオケ端末に供給する楽曲データのデータ種別である
ことを特徴とする請求項２に記載の楽曲データ供給装置。
【請求項４】
前記カラオケ端末に供給する楽曲データのデータ種別は、当該楽曲データ供給装置の機種に応じて決められている
ことを特徴とする請求項３に記載の楽曲データ供給装置。
【発明の詳細な説明】
【技術分野】
【０００１】
本発明は、カラオケ端末に楽曲データを供給する技術に関する。
【背景技術】
【０００２】
カラオケ端末に楽曲データを供給するための方法として、カラオケ端末と、保守センタとを、各々の通信機能によって接続する方法が用いられている。カラオケ端末の中にはこのような通信機能を備えていないものがあり、この場合、保守担当者がカラオケ端末を保守センタに持ち込んで、カラオケ端末を保守センタ装置と手作業で接続する必要があった。そこで、特許文献１には、カラオケ端末を保守センタに持ち込むことなく、通信機能を有していないカラオケ端末に新曲を供給することを目的として、保守センタ装置に格納されている楽曲データを携帯ハードディスクにコピーして、当該携帯ハードディスクをカラオケ端末の設置場所に持ち込んでカラオケ端末に接続し、当該携帯ハードディスクに格納されている楽曲データを、カラオケ装置が備えるハードディスクに格納する技術が開示されている。
【先行技術文献】
【特許文献】
【０００３】
【特許文献１】特開平９−２８１９７９号公報
【発明の概要】
【発明が解決しようとする課題】
【０００４】
しかしながら、近年では、カラオケ端末に供給する楽曲データ全体のデータサイズが大型化しており、これに応じて、特許文献１の技術では、保守担当者等が、大容量ゆえに大型化された携帯ハードディスクを持ち歩く必要があるうえ、保守センタ装置から携帯ハードディスクに楽曲データを長時間かけてコピーしなければならなくなる。このように、特許文献１の技術では、保守担当者に負荷をかけずに、カラオケ端末への楽曲データの供給をおこなうことができない。そこで、本発明は、保守担当者が手作業でカラオケ端末に楽曲データを供給する場合に比べて、カラオケ端末へ楽曲データを供給するときの手間を削減することを目的とする。
【課題を解決するための手段】
【０００５】
上記課題を解決するため、本発明は、カラオケに用いられる楽曲データを格納する第１の記憶媒体を備えた楽曲データ配信装置と通信をおこなう第１通信部と、前記楽曲データを格納する第２の記憶媒体を備えて当該楽曲データを再生するカラオケ端末と通信をおこなう第２通信部と、前記第１通信部による前記楽曲データ配信装置との通信によって、前記第１の記憶媒体を、当該楽曲データ供給装置が仮想的に有する仮想記憶媒体として設定する仮想ディスク設定部と、前記第１通信部による前記楽曲データ配信装置との通信によって、前記仮想記憶媒体に設定された前記第１の記憶媒体から楽曲データを読み出して取得し、取得した前記楽曲データを、前記第２通信部による前記カラオケ端末との通信によって、前記カラオケ端末へ供給して、前記第２の記憶媒体へ格納させる楽曲データ供給部とを備えることを特徴とする楽曲データ供給装置を提供する。
【０００６】
上記保守端末において、前記カラオケ端末に供給する楽曲データの条件が記憶しており、前記第１の記憶媒体に格納されている複数の楽曲データの中から前記条件に合致する楽曲データを、前記カラオケ端末へ供給する楽曲データとして選択する楽曲データ選択部をさらに備え、前記楽曲データ供給部は、前記楽曲データ選択部によって選択された楽曲データを、前記第１の記憶媒体から取得し、前記第２の記憶媒体へ格納させるようにしてもよい。また、前記カラオケ端末に供給する楽曲データの条件は、前記カラオケ端末に供給する楽曲データの楽曲が属するジャンル、または、前記カラオケ端末に供給する楽曲データのデータの種別であってもよい。また、前記カラオケ端末に供給する楽曲データのデータの種別は、当該楽曲データ供給装置の機種に応じて決められたものであってもよい。
【発明の効果】
【０００７】
本発明によれば、保守担当者が手作業でカラオケ端末に楽曲データを供給する場合に比べて、カラオケ端末へ楽曲データを供給するときの手間を削減することができる。
【図面の簡単な説明】
【０００８】
【図１】本実施形態に係る通信システム１０の全体構成を示す。
【図２】保守端末１００の機能構成を示す。
【図３】保守端末１００による処理の手順を示す。
【図４】楽曲リストの一例を示す。
【図５】保守端末１００のハードウェア構成の一例を示す。
【発明を実施するための形態】
【０００９】
図１は、本実施形態に係る通信システム１０の全体構成を示す。通信システム１０は、保守端末１００と、カラオケ端末１２０と、サーバ装置１１０とを備える。
【００１０】
サーバ装置１１０は、カラオケに用いられる楽曲データ（以下、単に「楽曲データ」という。）を配信する楽曲データ配信装置である。具体的には、サーバ装置１１０は、当該サーバ装置１１０の筐体の内部または外部に、第１の記憶媒体であるＨＤＤ（Hard Disk Drive）１１２を有している。このＨＤＤ１１２は、カラオケ端末１２０に供給される複数の楽曲データや、これら楽曲データの楽曲リストを格納している。サーバ装置１１０は、ネットワーク１３４に接続されている。このネットワーク１３４は、例えば移動体通信網である。楽曲データとは、カラオケ用の楽曲に関する楽音データと映像データとが組み合わされたものを示す。すなわち、楽曲データは、主旋律の歌声が存在せず伴奏やコーラスで構成されたいわゆるカラオケバージョンの楽音に関する楽音データと、この楽曲の歌詞や歌詞の背景に表示する映像からなる映像データとから成り立っている。
【００１１】
カラオケ端末１２０は、ユーザからの要求に従って楽曲データを再生する装置である。カラオケ端末１２０は、当該カラオケ端末１２０の筐体の内部あるいは外部に、第２の記憶媒体であるＨＤＤ１２２を有している。このＨＤＤ１２２は、サーバ装置１１０から供給された複数の楽曲データを格納する。カラオケ端末１２０は、ユーザからの要求に従って、このＨＤＤ１２２に格納された楽曲データを再生する。楽曲データが再生されると、カラオケ端末１２０は、この楽曲データに含まれる映像データに応じた映像をディスプレイに表示すると同時に、この楽曲データに含まれる楽音データに応じた音をスピーカから発する。さらに、楽曲データの再生中に、カラオケ端末１２０のユーザが発した音声をマイクが収集すると、カラオケ端末は、マイクによって収集された音声と、再生された楽曲データに含まれる楽音データに応じた音とを合成して、合成された音をスピーカから発する。
【００１２】
保守端末１００は、カラオケ端末１２０に格納されている楽曲データを保守する装置であり、楽曲データ供給装置として機能する。ここでいう保守とは、カラオケ端末１２０に格納されている楽曲データの保守管理のことであり、主に楽曲データの更新を意味している。保守端末１００は、サーバ装置１１０のＨＤＤ１１２に格納されている楽曲データを、カラオケ端末１２０に供給して、そのカラオケ端末１２０が備えるＨＤＤ１２２へ格納させる。カラオケ端末１２０はネットワーク１３４に接続する機能を備えていないため、ネットワーク１３４を介してサーバ装置１１０と通信をおこなうことができず、サーバ装置１１０から楽曲データを直接取得することができない。そこで、保守端末１００は、カラオケ端末１２０に代わって、サーバ装置１１０のＨＤＤ１１２に格納されている楽曲データを取得してカラオケ端末１２０へ供給する。具体的には、保守端末１００は、ネットワーク１３４を介して、サーバ装置１１０と通信可能に接続する。また、保守端末１００は、シリアルケーブルなどの通信ケーブル１３２によって、カラオケ端末１２０と通信可能に接続する。そして、保守端末１００は、サーバ装置１１０のＨＤＤ１１２に格納されている楽曲データを、サーバ装置１１０から取得し、そのままカラオケ端末１２０へ供給することで、カラオケ端末１２０が備えるＨＤＤ１２２へ格納させる。
【００１３】
図２は、保守端末１００の機能構成を示す。保守端末１００は、第１通信部１０２、仮想ディスク設定部１０４、楽曲データ選択部１０６、楽曲データ供給部１０８、および第２通信部１０９を備える。
【００１４】
第１通信部１０２は、ネットワーク１３４を介して、サーバ装置１１０との通信をおこなう。第２通信部１０９は、通信ケーブル１３２を介して、カラオケ端末１２０との通信をおこなう。
【００１５】
仮想ディスク設定部１０４は、第１通信部１０２によるサーバ装置１１０との通信によって、サーバ装置１１０が備えるＨＤＤ１１２を当該保守端末１００の仮想ディスクとして設定する。ここで、“サーバ装置１１０が備えるＨＤＤ１１２を保守端末１００の仮想ディスク（仮想記憶媒体）として設定する”とは、現実にはサーバ装置１１０が備えるＨＤＤ１１２を、あたかも保守端末１００自身が備えているかの如く、そのＨＤＤ１１２を仮想的に保守端末１００自身の記憶媒体として取り扱えるように、サーバ装置１１０と保守端末１００との間で取り決め、また、その取り扱いのために必要な各種パラメータの設定をおこなうことをいう。たとえば、仮想ディスク設定部１０４は、ＨＤＤ１１２をマウントすることで、当該ＨＤＤ１１２を当該保守端末１００の仮想ディスクとして設定する。マウントとは、ＨＤＤ１１２などの外部記憶装置に格納されているファイルに、当該保守端末１００のＯＳ（Operating System）がアクセスできるよう、サーバ装置１１０及び保守端末１００の間でソフトウェア的に行なわれる接続処理のことである。ただし、ここでの接続処理は、データの読み出しに限られ、データの更新や書き込みはできないようになっている。これにより、当該保守端末１００（特に、後述する楽曲データ選択部１０６）は、ＯＳのファイル管理機能により、ＨＤＤ１１２に格納されている楽曲データを、あたかも当該保守端末１００に格納されているかのように取り扱うことができる。
【００１６】
楽曲データ選択部１０６は、仮想ディスクとして設定されたＨＤＤ１１２に格納されている楽曲データの中から、カラオケ端末１２０へ供給する楽曲データを選択する。楽曲データ選択部１０６が楽曲データを選択する方法は様々であるが、たとえば、楽曲データ選択部１０６は、ＨＤＤ１１２に格納されている楽曲データのリストである楽曲リストを、サーバ装置１１０のＨＤＤ１１２から取得する。そして、楽曲データ選択部１０６は、取得した楽曲リストの中から、予め決められた、カラオケ端末１２０への楽曲データ供給条件に合致する楽曲データを選択する。たとえば、楽曲データ選択部１０６は、カラオケ端末１２０の保守契約や、カラオケ端末１２０の機種に応じた楽曲データを選択する。
【００１７】
楽曲データ供給部１０８は、第１通信部１０２によるサーバ装置１１０との通信によって、仮想ディスクとして設定されたＨＤＤ１１２から、前記楽曲データ選択部１１６によって選択された楽曲データを取得すると、取得した楽曲データを、第２通信部１０９によるカラオケ端末１２０との通信によって、カラオケ端末１２０へ供給して、カラオケ端末１２０が備えるＨＤＤ１２２へ格納させる。
【００１８】
図３は、保守端末１００による処理の手順を示す。まず、保守端末１００において、第１通信部１０２は、ネットワーク１３４を介して、サーバ装置１１０と所定の手順でセッションをおこなって、サーバ装置１１０と通信可能に接続する（ステップＳ３０２）。また、保守端末１００において、第２通信部１０９は、通信ケーブル１３２を介して、カラオケ端末１２０と所定の手順でセッションをおこなって、カラオケ端末１２０と通信可能に接続する（ステップＳ３０４）。
【００１９】
つぎに、仮想ディスク設定部１０４が、第１通信部１０２によるサーバ装置１１０との通信を介して、サーバ装置１１０が備えるＨＤＤ１１２にアクセスし、当該ＨＤＤ１１２を、当該保守端末１００の仮想ディスクとして設定する（ステップＳ３０６）。そして、楽曲データ選択部１０６が、ＨＤＤ１１２に格納されている楽曲データの楽曲リストを、サーバ装置１１０から取得する（ステップＳ３０８）。さらに、楽曲データ選択部１０６は、ステップＳ３０８で取得した楽曲リストの中から、予め決められた、カラオケ端末１２０への楽曲データ供給条件に合致する楽曲データを選択する（ステップＳ３１０）。
【００２０】
そして、楽曲データ供給部１０８は、第１通信部１０２によるサーバ装置１１０との通信を介して、仮想ディスクして設定されたＨＤＤ１１２から、ステップＳ３１０で選択された楽曲データを読み出して取得すると（ステップＳ３１２）、取得した楽曲データを、第２通信部１０９によるカラオケ端末１２０との通信を介して、カラオケ端末１２０へ供給して、カラオケ端末１２０が備えるＨＤＤ１２２へ格納させる（ステップＳ３１４）。
【００２１】
ステップＳ３１０で複数の楽曲データが選択された場合、選択された全ての楽曲データがＨＤＤ１２２に格納されていなければ（ステップＳ３１６：Ｎｏ）、保守端末１００は、ステップＳ３１２およびステップＳ３１４を繰り返しおこない、選択された全ての楽曲データがＨＤＤ１２２に格納されれば（ステップＳ３１６：Ｙｅｓ）、保守端末１００は、処理を終了する。
【００２２】
図４は、楽曲リストの一例を示す。図４に示す楽曲リスト４００は、ＨＤＤ１１２に格納されている楽曲データの楽曲リストである。楽曲リスト４００には、複数の楽曲データの各々の、楽曲データＩＤ、ジャンル、およびデータタイプが設定されている。楽曲データＩＤは、楽曲データを一意に識別するための識別情報である。ジャンルは、楽曲データが属するジャンルである。楽曲リスト４００では、その一例として、楽曲データの各々に対して、「ポップス」、「演歌」、「アニメ」、および「洋楽」のいずれかが設定されている。データタイプは、データの種別に関する情報であり、例えばデータサイズ、特殊効果、画質、音質などによって区別される。楽曲リスト４００では、その一例として、楽曲データの各々に対して、「高音質・高画質」、「特殊効果あり」、「ノーマル」のいずれかが設定されている。これ以外にも、楽曲リスト４００には、ファイル名、データサイズ、曲名、歌手名などが示されているが、ここでは、図示および説明を省略する。
【００２３】
保守端末１００の楽曲データ選択部１０６は、この楽曲リスト４００をサーバ装置１１０から受け取り、この楽曲リスト４００に示されている複数の楽曲データの中から、カラオケ端末１２０へ供給する楽曲データを楽曲データ供給条件に従って選択する。たとえば、楽曲データ選択部１０６は、カラオケ端末１２０の保守契約に応じた楽曲データを選択する。カラオケ端末１２０の保守契約の内容に、保守の対象の楽曲データとして例えば「ポップス」および「演歌」が含まれている場合、楽曲データ選択部１０６は、楽曲リスト４００において、ジャンルに「ポップス」または「演歌」が設定されている、楽曲データＩＤが「ＩＤ０００１」、「ＩＤ０００２」、「ＩＤ０００３」、「ＩＤ０００４」、「ＩＤ０００５」、および「ＩＤ０００６」のそれぞれの楽曲データを、カラオケ端末１２０へ供給する楽曲データとして選択する。カラオケ端末１２０がどの保守契約なのかや、保守契約にどのジャンルが含まれているかという楽曲データ供給条件は、保守端末１００のＨＤＤ１５２５等に予め記憶されているので、楽曲データ選択部１０６は、この記憶内容を参照して楽曲データ供給条件の内容を認識し、それに合致する楽曲データを選択する。保守端末１００は、カラオケ端末１２０の保守契約を、カラオケ端末１２０に問い合わせたり、保守担当者が当該保守端末１００に入力したり、するなどして、特定してもよい。
【００２４】
他の楽曲データ供給条件の例として、楽曲データ選択部１０６は、カラオケ端末１２０の機種に応じた楽曲データを選択する。たとえば、カラオケ端末１２０が、データタイプ「特殊効果あり」が設定されている楽曲データを再生することができない機種の場合、楽曲データ選択部１０６は、楽曲リスト４００において、データタイプに「特殊効果あり」以外の値が設定されている楽曲データを、カラオケ端末１２０へ供給する楽曲データとして選択する。カラオケ端末１２０がどの機種なのかや、カラオケ端末１２０の機種がどのようなデータタイプの楽曲データを取り扱うことができるのかという楽曲データ供給条件は、保守端末１００のＨＤＤ１５２５等に予め記憶されているので、楽曲データ選択部１０６は、この記憶内容を参照して楽曲データ供給条件の内容を認識し、それに合致する楽曲データを選択する。保守端末１００は、カラオケ端末１２０の機種を、カラオケ端末１２０に問い合わせたり、保守担当者が当該保守端末１００に入力したり、するなどして、特定してもよい。
【００２５】
図５は、保守端末１００のハードウェア構成の一例を示す。保守端末１００は、ＣＰＵ（Central Processing Unit）１５０５、ＲＯＭ（Read Only Memory）１５１０、ＲＡＭ（Random Access Memory）１５２０、ＨＤＤ１５２５、通信インターフェース１５３０、外部メモリドライブ１５４０、外部メモリ１５４２、操作パネル１５５０、ディスプレイ１５６０を備える。
【００２６】
ＲＯＭ１５１０、ＲＡＭ１５２０、ＨＤＤ１５２５、および外部メモリ１５４２は、各種データおよび各種プログラムを格納する。ＣＰＵ１５０５は、ＲＯＭ１５１０、ＲＡＭ１５２０、ＨＤＤ１５２５、または外部メモリ１５４２に格納されたプログラムを実行することで、各種データ処理および各種ハードウェア制御をおこなう。
【００２７】
通信インターフェース１５３０は、有線通信または無線通信によって通信網に接続し、通信網を介して外部装置との通信をおこなう。また、通信インターフェース１５３０は、有線通信または無線通信によって外部装置に直接接続し、当該外部装置との通信をおこなう。外部メモリドライブ１５４０は、外部メモリ１５４２に接続し、外部メモリ１５４２に対するデータの送受信をおこなう。外部メモリ１５４２としては、たとえば、メモリカードが挙げられる。
【００２８】
操作パネル１５５０には、キーボード、ボタン、タッチパネルなどの入力デバイスが設けられており、これらの入力デバイスがユーザによって操作されることにより、当該保守端末１００に対し、各種情報を入力する。ディスプレイ１５６０は、映像データに応じた映像を表示する。
【００２９】
ＣＰＵ１５０５が実行するプログラムは、たとえば、コンピュータ読み取り可能な記録媒体に格納されて保守端末１００に提供され、保守端末１００に格納される。このプログラムは、保守端末１００に予め格納されていてもよい。また、このプログラムは、外部装置から通信網や通信ケーブルを介して保守端末１００に提供され、保守端末１００に格納されてもよい。
【００３０】
たとえば、コンピュータである保守端末１００は、通信インターフェース１５３０が、図２に示した第１通信部１０２および第２通信部１０９して機能する。また、保守端末１００は、ＣＰＵ１５０５が、上記プログラムを実行し、通信インターフェース１５３０を制御することにより、図２に示した仮想ディスク設定部１０４、楽曲データ選択部１０６、および楽曲データ供給部１０８として機能する。
【００３１】
以上説明したように、本実施形態に係る保守端末１００によれば、サーバ装置１１０との通信を介して、サーバ装置１１０が備えるＨＤＤ１１２から楽曲データを取得し、取得した楽曲データを、カラオケ端末１２０との通信を介して、カラオケ端末１２０が備えるＨＤＤ１２２へ格納する構成とした。これにより、保守端末１００によりカラオケ端末１２０の保守をおこなう保守担当者は、大型のハードディスクを持ち歩いたり、長時間かけて楽曲データをハードディスクにコピーしておいたりする必要がなく、当該保守端末１００をサーバ装置１１０とカラオケ端末１２０とのそれぞれに接続して、当該保守端末１００を動作させるだけで、カラオケ端末１２０へ楽曲データを供給することができる。よって、保守担当者に負荷をかけずに、カラオケ端末１２０への楽曲データの供給をおこなうことができる。
【００３２】
また、本実施形態に係る保守端末１００によれば、サーバ装置１１０が備えるＨＤＤ１１２を仮想ディスクとして設定し、仮想ディスクとして設定されたＨＤＤ１１２から、ＯＳのファイル管理機能により楽曲データを取得し、取得した楽曲データを、カラオケ端末１２０が備えるＨＤＤ１２２へ格納する構成とした。これにより、保守端末１００は、ＨＤＤ１１２に格納されている楽曲データを、あたかも当該保守端末１００に格納されているかのように取り扱うことができ、楽曲データを取得する毎に、サーバ装置１１０との明示的な通信をおこなう必要がないため、サーバ装置１１０から楽曲データを取得する処理を簡素化することができる。
【００３３】
また、本実施形態に係る保守端末１００によれば、サーバ装置１１０が備えるＨＤＤ１１２に格納されている楽曲データの中から、カラオケ端末１２０の保守契約または機種に応じた楽曲データを、カラオケ端末１２０へ供給する楽曲データとして選択し、選択された楽曲データを、カラオケ端末１２０が備えるＨＤＤ１２２へ格納する構成とした。これにより、カラオケ端末１２０が利用できないまたは再生できない楽曲データを、カラオケ端末１２０に送信するようなことがなく、適切な楽曲データをカラオケ端末１２０へ供給することができるため、サーバ装置１１０およびカラオケ端末１２０との通信にかかるデータ量を抑えることができるうえ、ＨＤＤ１２２が有する記録領域の無駄な消費を抑えることができる。
【００３４】
＜変形例＞
上述の実施形態を以下のように変形してもよい。また、以下の各変形例を互いに組み合わせてもよい。
【００３５】
＜変形例１＞
実施形態では、保守端末１００は、移動体通信網を介して、サーバ装置１１０へ接続し、通信ケーブルを介してカラオケ端末１２０へ接続することとした。これに限らず、サーバ装置１１０が、ＬＡＮ（Local Area Network）やインターネットなどの、移動体通信網以外の通信網に接続されている場合、保守端末１００は、この通信網を介して、サーバ装置１１０に接続してもよい。また、カラオケ端末１２０が、ＬＡＮ（Local Area Network）などの通信網に接続されている場合、保守端末１００は、この通信網を介して、サーバ装置１１０に接続してもよい。要するに、保守端末１００による、サーバ装置１１０およびカラオケ端末１２０への接続態様は、どのようなものであってもよい。
【００３６】
＜変形例２＞
通信システム１０において、複数のサーバ装置１１０を設けるようにしてもよい。この場合、複数のサーバ装置１１０が、互いに異なるジャンルの楽曲データを格納し、保守端末１１０は、カラオケ端末１２０へ供給する楽曲データのジャンルに応じて、当該楽曲データの取得先のサーバ装置１１０を、そのジャンルの楽曲データを格納するサーバ装置１１０へ切り替えるようにしてもよい。また、同じ楽曲データが格納された複数のサーバ装置１１０を設けるようにしてもよい。この場合、複数の保守端末１１０のそれぞれが、予め定められたサーバ装置１１０へ接続することにより、複数の保守端末１００からのアクセスを、複数のサーバ装置１１０へ分散する構成としてもよい。他の例として、保守端末１１０が、各サーバ装置１１０に問い合わせをするなどして、負荷がより低いサーバ装置１１０や、他の保守端末１１０が接続されていないサーバ装置１１０などの、負荷がかかっていないサーバ装置１１０を特定し、負荷がかかっていないと特定されたサーバ装置１１０へ接続することにより、複数の保守端末１００によるアクセスを、複数のサーバ装置１１０へ分散する構成としてもよい。
【００３７】
＜変形例３＞
実施形態では、保守端末１００に、仮想ディスク設定部１０４を設け、これによってＨＤＤ１１２を保守端末１００の仮想ディスクとして設定し、仮想ディスクとして設定されたＨＤＤ１１２に格納されている楽曲データをＯＳのファイル管理機能により取得する構成としたが、これに限らず、たとえば、保守端末１００が、ＨＤＤ１１２を仮想ディスクとして設定せずに、サーバ装置１１０との通信により、サーバ装置１１０へ楽曲データを要求し、サーバ装置１１０から送られてくる楽曲データを取得するようにしてもよい。
【００３８】
＜変形例４＞
実施形態では、保守端末１００は、ＨＤＤ１５２５を備える構成としたが、これまでに説明したように、保守端末１００は、ＨＤＤ１５２５に楽曲データを格納する必要がない。このため、保守端末１００は、当該保守端末１００の動作に必要がなければ、ＨＤＤ１５２５を備えていなくてもよい。または、保守端末１００は、当該保守端末１００の動作に必要があれば、この動作のための最小限のデータ容量を有するＨＤＤ１５２５を備えていればよい。
【符号の説明】
【００３９】
１０…通信システム、１００…保守端末、１１０…サーバ装置、１２０…カラオケ端末、１３２…通信ケーブル、１３４…ネットワーク、１０２…第１通信部、１０４…仮想ディスク設定部、１０６…楽曲データ選択部、１０８…楽曲データ供給部、１０９…第２通信部
【図１】
2011209435.tif 000003
【図２】
2011209435.tif 000004
【図３】
2011209435.tif 000005
【図４】
2011209435.tif 000006
【図５】
2011209435.tif 000007